(57)【特許請求の範囲】
【請求項１】
家具の壁部に設けた開口部に、前記壁部の肉厚方向に略沿った方向からキャップの一部を挿入し所定取付位置で前記壁部とキャップ間に設けた係り合い機構を係り合わせてキャップを取り付けるようにしたキャップの取付構造において、
前記キャップが、前記壁部の外面側に開口し前記開口部に連通する連通開口部を具備してなり、前記連通開口部の外開口端部に臨む位置に、前記係り合い機構の係り合い解除操作を外部から行い得る操作部を表出し、
係り合い機構が、前記開口部の開口縁部と、前記キャップの対応位置に設けた弾性変形可能な係り合い爪とを具備してなるものであり、前記係り合い爪の一端部を前記操作部とし、
この操作部を前記連通開口部の開口縁部から離間する方向に押圧して前記係り合い機構の係り合い解除操作を行うようにしていることを特徴とするキャップの取付構造。
【請求項２】
キャップが、前記連通開口部を閉止する位置に装着される蓋体を具備してなり、前記蓋体が、前記操作部を連通開口部に臨む位置に表出する開成位置と、前記操作部を外部から隠蔽する閉止位置とを取り得ることを特徴とする請求項１記載のキャップの取付構造。
【請求項３】
係り合い機構が、前記開口部の開口縁部と、前記キャップの対応位置に設けてなり前記キャップの一部を開口部内に挿入する際に前記開口縁部に押圧されて経過的に弾性変形し、所定取付位置で元の形状に復元して前記開口縁部と係り合う弾性変形可能な係り合い爪とを具備してなるものであり、前記係り合い爪の一端部を前記操作部としていることを特徴とする請求項１又は２記載のキャップの取付構造。
【請求項４】
係り合い機構が、前記開口部の対向位置に設けた対をなすものであり、少なくとも一方の係り合い機構が前記操作部を有していることを特徴とする請求項１、２又は３記載のキャップの取付構造。
【請求項５】
操作部が、壁部の肉厚方向に沿って延出しているものであり、蓋体が、閉止位置で前記操作部の延出端を収納し得る凹陥部をその裏面に有していることを特徴とする請求項２、３又は４記載のキャップの取付構造。
【請求項６】
家具の壁部に設けた開口部に、前記壁部の肉厚方向に略沿った方向からキャップの一部を挿入し所定取付位置で前記壁部とキャップ間に設けた係り合い機構を係り合わせてキャップを取り付けるようにしたキャップの取付構造において、
前記キャップが、前記壁部の外面側に開口し前記開口部に連通する連通開口部を具備してなり、前記連通開口部に臨む位置に、前記係り合い機構の係り合い解除操作を外部から行い得る操作部を表出しているとともに、
キャップが、前記連通開口部を閉止する位置に装着される蓋体を具備してなり、前記蓋体が、前記操作部を連通開口部に臨む位置に表出する開成位置と、前記操作部を外部から隠蔽する閉止位置とを取り得るようにし、
壁部が、所定取付位置で蓋体の裏面側に略重合して位置するように前記開口部の開口縁部の一部を巾方向に延出した突出壁部を有することを特徴とするキャップの取付構造。
【請求項７】
開口部が、家具の内部に設けた配線収納空間内の配線類を家具の外部に案内するための配線連通口であることを特徴とする請求項１、２、３、４、５又は６記載のキャップの取付構造。
【発明の詳細な説明】
【０００１】
【発明の属する技術分野】
本発明は、分別廃棄を容易に行い得るためのキャップの取付構造に関するものである。
【０００２】
【従来の技術】
従来から、例えば、板金素材から形成した机の脚体の壁部に配線連通口を設け、この配線連通口を介して下肢空間に設けた配線収納空間内の配線類を机の外部へと案内する場合があるが、通常、前記配線連通口には、合成樹脂製のキャップが取り付けられる。この種のキャップとしては、前記配線連通口に連通する連通開口部を有する枠体状のキャップ本体と、このキャップ本体の連通開口部を閉止する位置に装着される蓋体とを具備しているものがある。
【０００３】
一方、前記配線連通口において、例えば、配線案内位置の関係や強度的な問題等で、その開口縁部の一縁を開放させた状態で壁部に設けることができず、該開口縁部の略全周を閉塞した状態で壁部に開口させる場合がある。このような配線連通口に、キャップ本体を取り付ける場合には、前記壁部に嵌合凹部を、前記キャップ本体の対応位置に嵌合凸部を設けておき、前記壁部の肉厚方向に略沿った方向からキャップ本体の一部を開口部内に挿入し、所定取付位置で前記嵌合凹部に嵌合凸部を圧入して凹凸嵌合させている。
【０００４】
【発明が解決しようとする課題】
ところで、近年、地球環境問題に対する関心の高まりから、製造物を廃棄する場合、資源の再利用を図るために、製造物を素材毎の個別の部品に分解して廃棄する分別廃棄が普及し始めており、家具の分野でも容易に分別廃棄が行えることが必要不可欠となっている。
【０００５】
しかしながら、上述したようなキャップの場合、一旦キャップ本体を壁部に取り付けると、前記嵌合凹部と嵌合凸部の嵌合部分は、壁部により外部から完全に隠蔽されることとなり、その嵌合解除を家具の外側から行うことは殆ど不可能であった。前記連通開口部を介して家具の外側から壁部の内側に手を入れたり、特殊な工具等を利用する等して嵌合解除操作を行うことも考えられるが、分別作業が非常に煩雑なものとなる。そのため、通常、廃棄時には、脚を分解して壁部の内側から嵌合凹部と嵌合凸部の凹凸嵌合を解除し、板金素材の脚と、合成樹脂製のキャップとを分別するようにしていた。このように、従来のものは、廃棄時に互いに別素材からなる家具本体とキャップとの分別を行うことが容易ではなく、キャップのリサイクル化が進展しないのが実状であった。
【０００６】
【課題を解決するための手段】
上記の問題点を解決するために、本発明のキャップの取付構造は、係り合い機構の係り合い解除操作を外部から行い得る位置に操作部を設け、この操作部を家具の外側から操作することにより廃棄時に簡単に家具本体からキャップを取り外すことができるようにしたものである。
【０００７】
【発明の実施の形態】
すなわち、本発明は、家具の壁部に設けた開口部に、前記壁部の肉厚方向に略沿った方向からキャップの一部を挿入し所定取付位置で前記壁部とキャップ間に設けた係り合い機構を係り合わせてキャップを取り付けるようにしたキャップの取付構造において、前記キャップが、前記壁部の外面側に開口し前記開口部に連通する連通開口部を具備してなり、前記連通開口部の外開口端部に臨む位置に、前記係り合い機構の係り合い解除操作を外部から行い得る操作部を表出し、係り合い機構が、前記開口部の開口縁部と、前記キャップの対応位置に設けた弾性変形可能な係り合い爪とを具備してなるものであり、前記係り合い爪の一端部を前記操作部とし、この操作部を前記連通開口部の開口縁部から離間する方向に押圧して前記係り合い機構の係り合い解除操作を行うようにしていることを特徴とする。
【０００８】
このような構成のものであると、廃棄時など、キャップを家具の壁部から取り外す場合には、前記連通開口部を介して家具の外部から操作部を操作して係り合い機構の係り合いを解除することができる。しかる後、壁部の肉厚方向に沿ってキャップを開口部から引き抜けば、家具本体の外側からキャップを簡単に取り外すことができ、従来のようにキャップを取り外すために家具本体を分解する必要もない。したがって、一般家庭や会社などでも別素材のキャップと家具本体とを簡単に分別した後、廃棄することが可能となる。
【０００９】
好適な実施の形態としては、キャップが、前記連通開口部を閉止する位置に装着される蓋体を具備してなり、前記蓋体が、前記操作部を連通開口部に臨む位置に表出する開成位置と、前記操作部を外部から隠蔽する閉止位置とを取り得るものが挙げられる。
簡単な構成で、キャップの取付作業も行い易い上、操作部を操作することにより容易に係り合いを解除し得るようにするには、係り合い機構が、前記開口部の開口縁部と、前記キャップの対応位置に設けてなり前記キャップの一部を開口部内に挿入する際に前記開口縁部に押圧されて経過的に弾性変形し、所定取付位置で元の形状に復元して前記開口縁部と係り合う弾性変形可能な係り合い爪とを具備してなるものであり、前記係り合い爪の一端部を前記操作部としていることが望ましい。
【００１０】
好適な実施の形態としては、係り合い機構が、前記開口部の対向位置に設けた対をなすものであり、少なくとも一方の係り合い機構が前記操作部を有しているものが挙げられる。
蓋体の肉厚を利用して操作部の延出量を確保し、係り合いの解除操作を行い易いものにするには、操作部が、壁部の肉厚方向に沿って延出しているものであり、蓋体が、閉止位置で前記操作部の延出端を収納し得る凹陥部をその裏面に有していることが望ましい。
【００１１】
蓋体のべこつきを防止するための望ましい態様としては、家具の壁部に設けた開口部に、前記壁部の肉厚方向に略沿った方向からキャップの一部を挿入し所定取付位置で前記壁部とキャップ間に設けた係り合い機構を係り合わせてキャップを取り付けるようにしたキャップの取付構造において、前記キャップが、前記壁部の外面側に開口し前記開口部に連通する連通開口部を具備してなり、前記連通開口部に臨む位置に、前記係り合い機構の係り合い解除操作を外部から行い得る操作部を表出しているとともに、キャップが、前記連通開口部を閉止する位置に装着される蓋体を具備してなり、前記蓋体が、前記操作部を連通開口部に臨む位置に表出する開成位置と、前記操作部を外部から隠蔽する閉止位置とを取り得るようにし、壁部が、所定取付位置で蓋体の裏面側に略重合して位置するように前記開口部の開口縁部の一部を巾方向に延出した突出壁部を有するものが挙げられる。
具体的な実施の形態としては、開口部が、家具の内部に設けた配線収納空間内の配線類を家具の外部に案内するための配線連通口であるものが挙げられる。
【００１２】
【実施例】
以下、本発明の一実施例について図面を参照して説明する。
図１は、本実施例のキャップの取付構造を適用した机Ａを示している。この机Ａは、左右対をなす側部支持体１の間に天板２を支持させてなるものである。
側部支持体１は、図１及び図２に示すように、前壁となる位置にフック孔を開口させてなる中空体状の支柱１１と、この支柱１１の下端部より前方に向けて延出するベース１２と、前記支柱１１に前記フック孔を利用して取り付けられる天板支持用のステー１３とからなるもので、左右の側部支持体１は、天板２及び背面パネル３を介して相互に自立可能に連結されている。
【００１３】
支柱１１は、板金素材を塑性変形加工して形成したもので、主として内壁を構成する薄板状の内壁部（図示せず）と、主として外壁を構成する薄板状の壁部たる外壁部１１２とを組み合わせて構成されている。
背面パネル３は、板金素材を塑性変形加工して形成したもので、左右の側部支持体１の後端部近傍を連結しているものである。具体的には、この背面パネル３は、支柱１１の後端部から若干前方に入った位置に鉛直方向に沿って配置されている。そして、背面パネル３の背面側に形成される横方向に延びる空間を配線収納空間Ｓとし、図１〜図３に示すように、前記配線収納空間Ｓを外部に連通するための開口部たる配線連通口５を前記支柱１１を構成する外壁部１１２の上下方向に対をなして設け、前記配線連通口５の開口端部にキャップ６を取り付けるようにしている。
【００１４】
配線連通口５は、開口縁部５１の略全周が閉塞状態で開口している側面視略Ｈ形状をなすものである。すなわち、前記外壁部１１２は、前記配線連通口５の上下開口縁部５１ａ、５１ｂの前後方向中央位置からそれぞれ上下方向に略矩形状の突出壁部５２を突出している。
キャップ６は、図３〜図８に示すように、前記配線連通口５の開口縁部５１を被覆し得る位置に前記外壁部１１２の肉厚方向に略沿って取り付けられるキャップ本体７と、前記キャップ本体７にスライド可能に装着される蓋体たるスライド蓋８とを具備している。
【００１５】
キャップ本体７は、樹脂一体成形で形成した合成樹脂製のものである。このキャップ本体７は、前記外壁部１１２の外面１１２ａ側に開口し前記配線連通口５に連通する側面視略Ｈ形状の連通開口部７３を有する枠体状のものである。そして、前記配線連通口５内に挿入される枠体状の挿入部７１と、前記挿入部７１の外面７１ａ側に設けてなり所定取付位置で外壁部１１２の外面１１２ａに添え設けられる鍔部７２とを具備している。
【００１６】
挿入部７１は、前記配線連通口５の開口縁部５１に略対応した外形を有する側面視略Ｈ形状をなすものである。具体的には、上下水平壁部７１１と、これら上下水平壁部７１１の端部近傍同士を連結する内側壁部７１２と、前記上下水平壁部７１１の端部から上下方向に延出してなり前記内側壁部７１２の外側に配置される外側壁部７１３とを具備している。前記上下水平壁部７１１は、その中央部分７１１ａが前記連通開口部７３内に偏移した位置にある略凸形状をなすものである。なお、この挿入部７１は、所定取付位置で、前記上下水平壁部７１１及び外側壁部７１３が、配線連通口５の開口縁部５１の対応位置に略密接状態で挿入されており、キャップ本体７の前後及び上下方向へのがたつきを有効に防止するものである。
【００１７】
そして、本実施例では、前記挿入部７１の中央部分７１１ａと前記配線連通口５の突出壁部５２間に、所定取付位置で係り合ってキャップ本体７を保持する係り合い機構９を設けている。さらに、前記連通開口部７３の外開口端部７３ａに臨む位置に、前記係り合い機構９の係り合い解除操作を外部から行い得る操作部９１を設けている。
【００１８】
係り合い機構９は、上下方向に対をなして設けてあるもので、前記配線連通口５の突出壁５２の水平辺により形成される開口縁部５２ａと、前記キャップ本体７の上下水平壁部７１１の中央部分７１１ａに設けた弾性変形可能な係り合い爪７１４とから構成される。この係り合い爪７１４は、挿入部７１を配線連通口５内に挿入する際に前記開口縁部５２ａに押圧されて経過的に弾性変形し、所定取付位置で元の形状に復元して前記突出壁部５２と係り合うものである。具体的には、前記係り合い爪７１４は、前記中央部分７１１ａに設けた開口窓７１５内に位置付けてある舌片状のもので、その基端部７１４ａを前記中央部分７１１ａに一体的に連続し、先端部７１４ｂを前記操作部９１とするとともに、先端部近傍に所定取付位置で突出壁部５２に係り合ってキャップ本体７の配線連通口５からの抜出を禁止する縦断面略三角形状の係り合い凸部７１４ｃを具備している。なお、前記係り合い爪７１４の先端部７１４ｂは、図５及び図６に示すように、挿入部７１の外面７１ａよりも外方に延出している。
【００１９】
鍔部７２は、一対の側壁７２１と、底壁７２２とを具備している側面視略Ｕ字形をなすものである。前記側壁７２１は、その内周面から巾方向に沿って内方に突出した突条７２３を有してなり、前記突条７２３と挿入部７１の外面７１ａ間に形成される溝部７２４にスライド蓋８の側端部８ａを挿入するようにしている。
【００２０】
スライド蓋８は、合成樹脂製の薄板状のものである。このスライド蓋８は、図４〜図６に示すように、前記キャップ本体７の連通開口部７３を閉止して前記係り合い機構９の操作部９１を外部から隠蔽する閉止位置Ｐと、図７及び図８に示すように、上方にスライドさせて前記キャップ本体７の連通開口部７３を開成して前記係り合い機構９の操作部９１を外部から操作可能な位置に表出する開成位置Ｑとを取り得る。スライド蓋８は、外面側に前記突条７２３を挿入可能な上面側に貫通しない溝部８１を有しており、前記溝部８１の下向面８１ａを突条７２４の上面７２４ａに載せ設けて閉止位置Ｐに保持される。なお、このスライド蓋８は、閉止位置Ｐで、その外面及び上面が、鍔部７２の外面及び上面と略面一となる。また、このスライド蓋８は、その裏面たる内面に、閉止位置Ｐにおいて操作部９１の延出端すなわち係り合い爪７１４の先端部７１４ｂを収納し得る凹陥部８２を有している。なお、このスライド蓋８は、適宜のストッパー手段（図示せず）により開成位置Ｑに保持され、キャップ本体７からの上方への抜出を禁止されている。
【００２１】
このような構成のものにおいて、前記配線連通口５にキャップ６を装着する際の手順について説明する。
先ず、配線連通口５の外壁部１１２の外面１１２ａ側からキャップ本体７を外壁部１１２の肉厚方向に沿って近付け、挿入部７１を配線連通口５内に挿入する。このとき、係り合い爪７１４が配線連通口５の開口縁部５２ａに押圧されて経過的に弾性変形し、鍔部７２が外壁部１１２の外面に略添え設けられる所定取付位置で元の形状に復元し、係り合い凸部７１４ａが突出壁部５２に係り合って、キャップ本体７が配線連通口５から抜出することを禁止する。
【００２２】
一方、廃棄時等、外壁部１１２から、前記キャップ本体７を取り外す場合には、図９に示すように、スライド蓋８を開成位置Ｑへとスライドして前記操作部９１を連通開口部７３を介して外部から操作可能な位置に表出する。しかる後、前記操作部９１をドライバー等の工具或いは指などを利用して突出壁部５２から離間する方向すなわち前記係り合い凸部７１４ｃと突出壁部５２との係り合いを解除する方向へと押圧して係り合い爪７１４を弾性変形させ、両者の係り合いが解除された段階でキャップ本体７を図９中矢印で示す方向へ引き抜く。
【００２３】
このような構成のものであると、廃棄時など、キャップ６を支柱１１の外壁部１１２から取り外す場合には、机Ａの外部から前記操作部９１を操作して係り合い機構９の係り合いを解除した後、外壁部１１２の肉厚方向に沿って前記キャップ本体７を配線連通口５から引き抜けば、机Ａの外側からキャップ６を簡単に取り外すことができ、従来のようにキャップ６を取り外すために支柱１１を分解する必要もない。したがって、一般家庭や会社などでも合成樹脂製のキャップ６と板金製の支柱１１とを簡単に分別した後、廃棄することが可能となる。
【００２４】
キャップ６が、前記連通開口部７３を閉止する位置に装着されるスライド蓋８を具備してなり、前記スライド蓋８が、前記操作部９１を外部に表出する開成位置Ｑと、前記操作部９１を外部から隠蔽する閉止位置Ｐとを取り得るので、閉止位置Ｐでは、前記スライド蓋８により操作部９１を隠蔽することができ、キャップ６の外観を向上し得るとともに、誤って操作部９１に触れるなどして係り合い機構９の係り合いが解除されることを防止できる。
【００２５】
係り合い機構９が、前記配線連通口５の開口縁部５２ａと、前記キャップ本体７の対応位置に設けてなり前記キャップ本体７の挿入部７１を配線連通口５内に挿入する際に前記開口縁部５２ａに押圧されて経過的に弾性変形し、所定取付位置で元の形状に復元して前記突出壁部５２と係り合う弾性変形可能な係り合い爪７１４とを具備してなるものであり、前記係り合い爪７１４の先端部７１４ａを前記操作部９１としているので、簡単な構成で、キャップ本体７を所定取付位置に確実に保持し得る上、操作部９１を操作することにより容易に係り合いを解除し得るものを提供することができる。
【００２６】
係り合い機構９が、対をなすものであるので、キャップ本体７を所定取付位置に確実に保持することができる。
操作部９１が外壁部１１２の肉厚方向に沿って延出したものであり、スライド蓋８が、閉止位置Ｑで前記操作部９１の延出端である係り合い爪１７４の先端部１７４ｂを収納し得る凹陥部８２をその内面に有しているので、スライド蓋８の肉厚を利用して操作部９１の延出量を確保し、係り合いの解除操作を行い易いものにすることができる。
【００２７】
外壁部１１２が、所定取付位置でスライド蓋８の内面側に略重合して位置するように前記配線連通口５の上下開口縁部５１ａの一部を巾方向に延出した突出壁部５２を有しているので、閉止位置Ｐでのスライド蓋８のべこつきを有効に防止し得る。さらに、突出壁部５２を設けて配線連通口５の形状を本実施例のようなものとすれば、キャップ本体７の成形金型を複雑な形にすることなく、またスライド型等を利用することなく、キャップ本体７を簡単に成形することが可能となる。
【００２８】
なお、本発明における構成は、以上説明したものに限定されないのは勿論である。例えば、このキャップを取り付ける家具は、机に限定されず、また開口部が、前記配線連通口に限られないのは勿論である。さらに、前記操作部を係り合い機構の何れか一方だけに設けるようにしてもよい。その他の構成も本発明の趣旨を逸脱しない範囲で種々変形が可能である。
【００２９】
【発明の効果】
本発明は、以上説明したような構成で実施され以下に記載されるような効果を奏する。
すなわち、本発明は、前記キャップが、前記壁部の外面側に開口し前記開口部に連通する連通開口部を具備してなり、前記連通開口部の外開口端部に臨む位置に、前記係り合い機構の係り合い解除操作を外部から行い得る操作部を表出し、係り合い機構が、前記開口部の開口縁部と、前記キャップの対応位置に設けた弾性変形可能な係り合い爪とを具備してなるものであり、前記係り合い爪の一端部を前記操作部とし、この操作部を前記連通開口部の開口縁部から離間する方向に押圧して前記係り合い機構の係り合い解除操作を行うようにしているので、廃棄時など、キャップを家具の壁部から取り外す場合には、操作部を操作することにより家具本体の外側からキャップを簡単に取り外すことができ、従来のようにキャップを取り外すために家具本体を分解する必要もない。したがって、一般家庭や会社などでも別素材のキャップと家具本体とを簡単に分別した後、廃棄することが可能となる。
【００３０】
キャップが、前記連通開口部を閉止する位置に装着される蓋体を具備してなり、前記蓋体が、前記操作部を連通開口部に臨む位置に表出する開成位置と、前記操作部を外部から隠蔽する閉止位置とを取り得るならば、閉止位置では、前記蓋体により操作部を隠蔽することができるので、キャップの外観を向上し得るとともに、誤って操作部に触れるなどして係り合い機構の係り合いが解除されることを防止できる。
【００３１】
係り合い機構が、前記開口部の開口縁部と、前記キャップの対応位置に設けてなり前記キャップの一部を開口部内に挿入する際に前記開口縁部に押圧されて経過的に弾性変形し、所定取付位置で元の形状に復元して前記開口縁部と係り合う弾性変形可能な係り合い爪とを具備してなるものであり、前記係り合い爪の一端部を前記操作部としているならば、簡単な構成で、家具本体への取り付け及び取り外し作業を容易に行い得るものを提供することができる。
【００３２】
係り合い機構が、前記開口部の対向位置に設けた対をなすものであり、少なくとも一方の係り合い機構が前記操作部を有しているならば、キャップを所定取付位置に確実に保持し得る。
操作部が、壁部の肉厚方向に沿って延出しているものであり、蓋体が、閉止位置で前記操作部の延出端を収納し得る凹陥部をその裏面に有しているならば、蓋体の肉厚を利用して操作部の延出量を確保し、係り合いの解除操作を行い易いものにできる。
【００３３】
壁部が、所定取付位置で蓋体の裏面側に略重合して位置するように前記開口部の開口縁部の一部を巾方向に延出しているならば、閉止位置での蓋体のべこつきを防止し得る。
開口部が、家具の内部に設けた配線収納空間内の配線類を家具の外部に案内するための配線連通口であるならば、本発明の作用、効果を有効に発揮し得るものとなる。
【図面の簡単な説明】
【図１】本発明の一実施例を示す全体斜視図。
【図２】同側面図。
【図３】同要部を示す分解斜視図。
【図４】同スライド蓋が閉止位置にある状態を示す側面図。
【図５】図４に対応するＩ−Ｉ線断面図。
【図６】図４に対応するＩＩ−ＩＩ線断面図。
【図７】同スライド蓋が開成位置にある状態を示す側面図。
【図８】図７に対応するＩＩＩ−ＩＩＩ線断面図。
【図９】同作用説明図。
【符号の説明】
１１２…壁部（外壁部）
１１２ａ…外面
５…開口部（配線連通口）
５２ａ…開口縁部
６…キャップ
７３…連通開口部
７１４…係り合い爪
８…蓋体（スライド蓋）
８２…凹陥部
９…係り合い機構
９１…操作部
Ａ…家具（机）
Ｐ…閉止位置
Ｑ…開成位置
Ｓ…配線収納空間
【図１】
0003622614.tif 000002
【図２】
0003622614.tif 000003
【図３】
0003622614.tif 000004
【図４】
0003622614.tif 000005
【図５】
0003622614.tif 000006
【図６】
0003622614.tif 000007
【図７】
0003622614.tif 000008
【図８】
0003622614.tif 000009
【図９】
0003622614.tif 000010